(57)【要約】　　　（修正有）【課題】電子カードコネクタとインテリジェントカードコネクタ間の信号伝送を切換えることによって、部材数を低減し、かつ空間を節約できるスタック式電子カードコネクタを提供する。【解決手段】スタック式電子カードコネクタは、電子カードコネクタ３と、インテリジェントカードコネクタ５と、端子モジュール２と、切換回路基板４と、を含む。端子モジュールは、第３本体と、インテリジェントカードの信号を切換えるための複数の第３信号端子を備え、電子カードコネクタはアダプター３０と、該アダプターに組付けられた第１金属枠組３１を含み、アダプターは、第１本体と、該第１本体を被覆する金属遮蔽シートと、該第１本体内に収容された複数の第１信号端子とを備え、インテリジェントカードコネクタは、第２本体５０と、該第２本体を被覆する第２金属枠組５１を備え、切換回路基板４に第１、第３信号端子を収容するための複数の半田付け孔が設けられる。【選択図】　　　　図１
2004127519.tif 000002
【特許請求の範囲】
【請求項１】
アダプターと、該アダプターに組付けられた第１金属枠組とを備え、前記アダプターは、第１本体と、該第１本体を被覆する金属遮蔽シートと、該第１本体内に収容された複数の第１信号端子とを含み、前記金属遮蔽シートの一端から延出された複数の接地ピンを有する電子カードコネクタと、
第２本体、及び該第２本体上に組付けられ、且つ開孔を設けた第２金属枠組を含むインテリジェントカードコネクタと、
第３本体、及び該第３本体内にインサート成形された複数の第３信号端子を備え、且つアダプターに組付けられ、その一部分が第２金属枠組の開孔内に延伸された端子モジュールと、
回路基板が平板状に形成され、且つ第１、第３信号端子及び接地ピンをそれぞれ収容するための複数半田付け孔が設けられた切換装置と、
を備えたことを特徴とするスタック式電子カードコネクタ。
【請求項２】
前記第３本体は、接続部及び該接続部から延出した接触部を設けたことを特徴とする請求項１記載のスタック式電子カードコネクタ。
【請求項３】
前記接続部の適宜な位置に両係合孔を設けたことを特徴とする請求項２記載のスタック式電子カードコネクタ。
【請求項４】
前記第１本体に端子モジュールの係合孔に合わせる両係合部が設けられたことを特徴とする請求項３記載のスタック式電子カードコネクタ。
【請求項５】
前記第２金属枠組の開孔の一端部に鈎部を設け、端子モジュールの接触部に合わせたことを特徴とする請求項２記載のスタック式電子カードコネクタ。
【発明の詳細な説明】
【０００１】
【産業上の利用分野】
本発明は、一種スタック式電子カードコネクタに関し、特に一種切換回路基板によって、互いに重ね合わせた電子カードコネクタとインテリゼェントカードコネクタとシステム回路基板間に信号を伝送するためのスタック式電子カードコネクタに関するものである。
【０００２】
【従来の技術】
ノットブックの迅速な発展により、その大きさは次第に小型化になりつつものであるため、その信号の伝送装置もそれに応じてさらに小さく、軽量化で且つ携帯便利な方へ発展するようになるものである。そもそも初期のノットブック中の電子カードコネクタは各単体的に回路基板に組付けられ、且つ二つ或いは二つ以上の電子カードコネクタが同一のコンピュータに応用された時、平行並列式構造を採用したため、システム内の部材が多くなりすぎて、必要な空間が大きくなったため、ノットブックの小型化に大きく関わっている。
【０００３】
その後、スタック式電子カードコネクタが考案され、例えば、ＵＳＰ５，３２４，２０４に開示されたような電気コネクタがある。該電気コネクタは、第１コネクタと第２コネクタとを簡単に重ね合わせて、且つ両列端子により電子カードとシステム間との信号伝送を切換え、そうした場合、水平方向に必要な空間を低減しても、電気コネクタの全高度が高くなり、また両列の端子により信号を伝送することで、部材数が低減できなかったにもかかわらず、端子の取付け困難度、または製造コストを増加する一方である。よって、一種部材数を低減し、また空間を節約できるスタック式電子カードコネクタを如何にして設計することは、現に克服しようとする課題である。
【０００４】
【発明が解決しようとする課題】
本発明は、主に一種回路基板により電子カードコネクタとインテリジェントカードコネクタ間の信号伝送を切換えることによって、部材数を低減し、かつ空間を節約できるスタック式電子カードコネクタを提供することを目的とする。
【０００５】
【課題を解決するための手段】
本発明のスタック式電子カードコネクタは、電子カードコネクタと、インテリジェントカードコネクタと、端子モジュールと、切換回路基板と、を含む。前記端子モジュールは、第３本体と、該第３本体内にインサート成形されたインテリジェントカードの信号を切換えるための複数の第３信号端子を備え、電子カードコネクタはアダプターと、該アダプターに組付けられた第１金属枠組を含み、前記アダプターは、第１本体と、該第１本体を被覆する金属遮蔽シートと、該第１本体内に収容された複数の第１信号端子とを備え、前記インテリジェントカードコネクタは、第２本体と、該第２本体を被覆する第２金属枠組を備え、そして切換回路基板に第１、第３信号端子を収容するための複数の半田付け孔が設けられ、前記の構造によりスタック式電子カードコネクタを形成し、また回路基板を介して信号を切換えるため、部材数を低減するとともに、部材が必要な空間も節約できる。
【０００６】
【実施例】
図１に示すように、本発明に係るスタック式電子カードコネクタ１は、主に端子モジュール２、電子カードコネクタ３、切換回路基板４およびインテリジェントカードコネクタ５を含む。前記切換回路基板４は、一種切換装置であり、それぞれ電子カードコネクタ３とインテリジェントカードコネクタ５を接続し、且つシステム回路基板６上のレセプタクルコネクタ６０を接合することで電気信号を伝送する。電子カードコネクタ３は、アダプター３０と、該アダプター３０に組付けられた第１金属枠組３１を備え、前記アダプター３０および第１金属枠組３１は、記憶カードを収納するための空間が形成される。インテリジェントカードコネクタ５は、第２本体５０と、該第２本体５０を被覆する第２金属枠組５１を備え、前記第２本体５０および第２金属枠組５１は、インテリジェントカードを収納するための空間が形成される。
【０００７】
図２乃至図４を参照されたい、前記端子モジュール２は、第３本体２０と、該第３本体２０内にインサート成形された複数の第３信号端子２１を含み、該第３信号端子２１は、インテリジェントカードの信号を切換えるために用いられ、該第３本体２０は縦長い平板状の接続部２００が設けられ、第３信号端子２１は該接続部２００を貫通し半田付け部２１０として一部延出され、該接続部２００の縦長い方向に沿う側面上に、かつ第３信号端子２１の半田付け部２１０に近い側面に両係合孔２００１が設けられ、接続部２００から第１コネクタ３のアダプター３０を接合する方向へ第３本体２０の接触部２０１が延出され、該接触部２０１の一端部に突起２０１０が設けられる。前記アダプター３０は、金属遮蔽シート３０２、第１本体３００および該第１本体３００内に収容された複数の第１信号端子３０１を含み、前記第１本体３００が端子モジュール２の係合孔２００１に対応した部位に係合部３０００が設けられ、また金属遮蔽シート３０２が第１本体３００に被覆され、且つ該金属遮蔽シート３０２の一端部は複数の接地アースピン３０２０が延出され、端子モジュール２とアダプター３０とを合わせる時、係合部３０００と端子モジュール２の係合孔２００１とを係合し、端子モジュール２がアダプター３０に固着されることになる。また図５を参照すると、切換回路基板４上に複数の第１半田付け孔４０、第２半田付け孔４１及び第３半田付け孔４２を設けることによって、端子モジュール２の第３信号端子２１及びアダプター３０の第１信号端子３０１は、接地ピン３０２０とを何れも切換回路基板４に半田付ける。
【０００８】
図６及び図７を参照されたい、インテリジェントカードコネクタ５は、第２本体５０及び第２金属枠組５１を備え、且つ前記第２本体５０と第２金属枠組５１の間にインテリジェントカードを収容できる案内溝が形成され、該第２金属枠組５１は板状のベース５２を設け、該ベース５２上に端子モジュール２の第３本体２０の接触部２０１に対応した部位に開孔５２０を設け、また該開孔５２０は端子モジュール２の突起２０１０に対応した部位に鈎部５２００を設けるとともに、前記の組合せを第２金属枠組５１の開孔５２０方向に挿入することによって、端子モジュール２の突起２０１０が開孔５２０の鈎部５２００に係合され、更にインテリジェントカードコネクタ５と電子カードコネクタ３のアダプター３０が切換回路基板４を介してユニット全体に形成される。図８に示すように、電子カードコネクタ３の第１金属枠組３１を前記組合せ体に挿入することで記憶カードを収納するための空間が形成され、さらに本発明に関するスタック式電子カードコネクタ１の組付けを完成することができる。
【０００９】
前記を総じて、本発明は特許の要件として十分に備えているので法により登録すべきであり、また前記は単なる本願の具体的実施例にすぎず、本発明の請求範囲を限定するものではなく、本発明に基づきなしうる細部の修飾或いは変更など、いずれも本発明の請求範囲に属するものとする。
【図面の簡単な説明】
【図１】本発明におけるスタック式電子カードコネクタと回路基板との立体組合せ図。
【図２】本発明におけるスタック式電子カードコネクタの端子モジュールの立体図。
【図３】本発明におけるスタック式電子カードコネクタの電子カードコネクタのアダプターの立体図。
【図４】本発明におけるスタック式電子カードコネクタの電子カードコネクタのアダプターと端子モジュールの立体組合せ図。
【図５】本発明におけるスタック式電子カードコネクタの端子モジュール、切換回路基板及びアダプターの立体組合せ図。
【図６】本発明におけるスタック式電子カードコネクタのインテリジェントカードコネクタの立体図。
【図７】本発明におけるスタック式電子カードコネクタの端子モジュールと、回路基板と、アダプターと、インテリジェントカードコネクタとを組合せる立体図。
【図８】本発明におけるスタック式電子カードコネクタの立体組合せ図。
【符号の説明】
１　　　　　　　　　　　　　電子カードコネクタ
２　　　　　　　　　　　　　端子モジュール
２０　　　　　　　　　　　　第３本体
２００　　　　　　　　　　　接続部
２００１　　　　　　　　　　係合孔
２０１　　　　　　　　　　　接触部
２０１０　　　　　　　　　　突起
２１　　　　　　　　　　　　第３信号端子
２１０　　　　　　　　　　　半田付け部
３　　　　　　　　　　　　　電子カードコネクタ
３０　　　　　　　　　　　　アダプター
３００　　　　　　　　　　　第１本体
３０００　　　　　　　　　　係合部
３０１　　　　　　　　　　　第１信号端子
３０２　　　　　　　　　　　金属遮蔽シート
３０２０　　　　　　　　　　接地ピン
３１　　　　　　　　　　　　第１金属枠組
４　　　　　　　　　　　　　切換回路基板
４０　　　　　　　　　　　　第１半田付け孔
４１　　　　　　　　　　　　第２半田付け孔
４２　　　　　　　　　　　　第３半田付け孔
５　　　　　　　　　　　　　インテリジェントカードコネクタ
５０　　　　　　　　　　　　第２本体
５１　　　　　　　　　　　　第２金属枠組
５２　　　　　　　　　　　　ベース
５２０　　　　　　　　　　　開孔
５２００　　　　　　　　　　鈎部
６　　　　　　　　　　　　　システム回路基板
６０　　　　　　　　　　　　レセプタクルコネクタ
【図１】
2004127519.tif 000003
【図２】
2004127519.tif 000004
【図３】
2004127519.tif 000005
【図４】
2004127519.tif 000006
【図５】
2004127519.tif 000007
【図６】
2004127519.tif 000008
【図７】
2004127519.tif 000009
【図８】
2004127519.tif 000010